(57)【要約】【課題】本発明は、機密画像の出力を効果的に防止する画像処理装置に関する。【解決手段】複合装置１は、原稿読取部２で読み取った読取画像に該画像の利用を制限する不正印刷防止画像ＮＧのパターンが含まれていることをパターン検出部３が検出すると、識別不能画像作成部４で作成した識別不能画像または代用画像読取部５が代用画像登録部６から選択取得した代用画像を出力部７で印刷出力するか、印刷を停止するかの該読取画像に対する複数種類の不正印刷防止検出後動作のうちの１つを適宜選択して実行する。したがって、該機密画像の漏洩を適切かつ確実に防止することができる。【選択図】          図１
2008288995.tif 000002
【特許請求の範囲】
【請求項１】
処理対象画像に該画像の利用を制限する所定の不正利用防止パターンが含まれていると該処理対象画像の利用を制限する画像処理装置であって、前記処理対象画像に前記不正利用防止パターンが含まれているときの該処理対象画像に対する複数種類の利用制限動作が予め登録されている動作登録手段と、該処理対象画像に該不正利用防止パターンが含まれているか検査する検査手段と、該検査手段が該処理対象画像に該不正利用防止パターンが含まれていることを検出すると該動作登録手段に登録されている利用制限動作の１つを適宜選択して実行する制御手段と、を備えていることを特徴とする画像処理装置。
【請求項２】
前記制御手段は、前記検査手段が前記処理対象画像に前記不正利用防止パターンが含まれていることを検出すると、前記動作登録手段に登録されている複数の前記利用制限動作から実行する利用制限動作を選択する選択画面を表示手段に表示し、該選択画面で選択された利用制限動作を実行することを特徴とする請求項１記載の画像処理装置。
【請求項３】
前記動作登録手段は、前記利用制限動作として、少なくとも、前記処理対象画像全体に特定パターンを付加して出力するパターン付加処理動作、該処理対象画像に変えて予め登録されている代用画像を出力する代用画像出力動作、該処理対象画像の出力を禁止する出力禁止動作が登録されていることを特徴とする請求項１または請求項２記載の画像処理装置。
【請求項４】
前記制御手段は、前記利用制限動作として、出力禁止動作を実行すると、前記処理対象画像の出力を禁止した旨及び出力を禁止した理由を所定の報知手段から報知出力することを特徴とする請求項３記載の画像処理装置。
【発明の詳細な説明】
【技術分野】
【０００１】
本発明は、画像処理装置に関し、詳細には、機密画像の出力を効果的に防止する画像処理装置に関する。
【背景技術】
【０００２】
従来から企業や公的機関においては、機密情報や顧客情報等の機密保持を必要とする情報（以下、必要に応じて、機密情報という。）を取り扱うことが多く、各企業や公的機関は、機密情報の取扱に細心の注意を払い、種々の方法を用いて、機密情報が漏洩することを防止している。
【０００３】
ところが、会議資料等のように配布された機密文書等の機密情報は、該機密情報が複写されて外部に持ち出される場合がしばしばある。
【０００４】
そこで、従来、電子透かしデータの埋め込まれた画像データを取り込むと、該取り込んだ画像データとは異なるデータを転送先に転送してデータの不正流用を防止する技術（特許文献１参照）、操作者を特定する特定データと該操作者の操作によって画像処理した画像データとを履歴データで関連付けて該画像データを管理する技術（特許文献２参照）及び印刷出力した画像情報の履歴情報を作成して記憶する技術（特許文献３参照）等が提案されている。
【０００５】
すなわち、特許文献１記載の従来技術は、電子透かしデータの埋め込まれた画像データを取り込むと、該画像データの所有権が識別可能なデータを転送して複製させる等によって、不正流用を防止している。例えば、図２５に示すように、電子透かしデータを取り込むと、コピー禁止等のデータを付加して印刷出力する。
【０００６】
また、特許文献２記載の従来技術及び特許文献３の従来技術は、画像を処理すると、履歴情報を作成することで、情報の漏洩等が発生したときに、漏洩元を特定したり、漏洩経路を特定可能としている。
【０００７】
【特許文献１】特許第３２６９４４２号公報
【特許文献２】特開２００６−９４４８２号公報
【特許文献３】特開平６−２７０４７７号公報
【発明の開示】
【発明が解決しようとする課題】
【０００８】
しかしながら、上記従来技術にあっては、記録媒体の節約や利用者の行為による情報の不正利用を直接的に検知して防止することができず、改良の必要があった。
【０００９】
すなわち、特許文献１記載の従来技術にあっては、電子透かしデータの埋め込まれた画像データを取り込むと、該画像データの所有権が識別可能なデータを転送して複製させる等によって、不正流用を防止しているため、印刷出力自体を防止することができず、用紙の無駄を発生させるとともに、データの機密自体を確保する上で、改良の必要があった。
【００１０】
また、特許文献２記載の従来技術及び特許文献３記載の従来技術にあっては、画像を処理すると、履歴情報を作成しているため、情報の漏洩等が発生したときに、漏洩元を特定したり、漏洩経路を特定することはできるが、利用者の行為による情報の不正利用を直接的に検知して防止することができず、情報の機密を確保する上で、改良の必要があった。
【００１１】
そこで、本発明は、用紙の無駄を防止しつつ、機密画像の漏洩を確実に防止する画像処理装置を提供することを目的としている。
【課題を解決するための手段】
【００１２】
請求項１記載の発明の画像処理装置は、処理対象画像に該画像の利用を制限する所定の不正利用防止パターンが含まれていると該処理対象画像の利用を制限する画像処理装置であって、前記処理対象画像に前記不正利用防止パターンが含まれているときの該処理対象画像に対する複数種類の利用制限動作が予め登録されている動作登録手段と、該処理対象画像に該不正利用防止パターンが含まれているか検査する検査手段と、該検査手段が該処理対象画像に該不正利用防止パターンが含まれていることを検出すると該動作登録手段に登録されている利用制限動作の１つを適宜選択して実行する制御手段と、を備えていることにより、上記目的を達成している。
【００１３】
この場合、例えば、請求項２に記載するように、前記制御手段は、前記検査手段が前記処理対象画像に前記不正利用防止パターンが含まれていることを検出すると、前記動作登録手段に登録されている複数の前記利用制限動作から実行する利用制限動作を選択する選択画面を表示手段に表示し、該選択画面で選択された利用制限動作を実行してもよい。
【００１４】
また、請求項１または請求項２の場合、例えば、請求項３に記載するように、前記動作登録手段は、前記利用制限動作として、少なくとも、前記処理対象画像全体に特定パターンを付加して出力するパターン付加処理動作、該処理対象画像に変えて予め登録されている代用画像を出力する代用画像出力動作、該処理対象画像の出力を禁止する出力禁止動作が登録されていてもよい。
【００１５】
さらに、請求項３の場合、例えば、請求項４に記載するように、前記制御手段は、前記利用制限動作として、出力禁止動作を実行すると、前記処理対象画像の出力を禁止した旨及び出力を禁止した理由を所定の報知手段から報知出力してもよい。
【発明の効果】
【００１６】
本発明の画像処理装置によれば、処理対象画像に該画像の利用を制限する所定の不正利用防止パターンが含まれていることを検出すると、予め登録されている該処理対象画像に対する複数種類の利用制限動作のうちの１つを適宜選択して実行するので、機密画像を適切に検出して、該機密画像の漏洩を確実に防止することができる。
【発明を実施するための最良の形態】
【００１７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１８】
図１〜図２４は、本発明の画像処理装置の一実施例を示す図であり、図１は、本発明の画像処理装置の一実施例を適用した複合装置１の要部ブロック構成図である。
【００１９】
図１において、複合装置１は、原稿読取部２、パターン検出部３、識別不能画像作成部４、代用画像取得部５、代用画像登録部６及び出力部７を備えている。また、複合装置１は、図２に示すように、本体筐体１０の下方に、給紙部１１が配置され、本体筐体１０内に、原稿読取部２、出力部７及び図示しないファクシミリ通信機能部、ネットワーク通信機能部等が設けられて、原稿読取部２は、該本体筐体１０内の上部に設けられている。本体筐体１０の上部には、原稿読取部２の画像読取位置に原稿を搬送するＡＤＦ（Auto Document Feeder）１２が配設されている。複合装置１は、いわゆるコピー機能、ファックス機能、プリンタ機能、スキャナ機能等の複合機能を実現する。
【００２０】
さらに、複合装置１は、本体筐体１０の上部に、図示しない操作パネルは、各種操作キー及びディスプレイパネル（図５等参照）２０が設けられており、操作キーからは複合装置１に各種動作を行わせるのに必要な各種操作が行われ、ディスプレイパネル（報知手段）２０には、操作キーからの操作内容や複合装置１からオペレータ（操作者）に通知する各種情報を表示する。特に、ディスプレイパネル２０は、後述する機密保護制御処理での各種情報を表示する。なお、ディスプレイパネル２０は、液晶ディスプレイ上にタッチパネルが重ね合わされた液晶タッチパネルを用いて、該液晶ディスプレイにキー操作内容や複合装置１からユーザに通知する各種情報及び複合装置１の各種操作を行うのに必要な情報表示と該情報表示に対応する機能キー（タッチボタン）を表示し、液晶ディスプレイに表示された機能キーにタッチされると、タッチパネルがタッチ操作を検出して、該タッチ操作で選択された機能キーの液晶ディスプレイでの表示を黒等に反転表示させるとともに、該機能キーのキー操作結果を取得するようにしてもよい。
【００２１】
原稿読取部２は、搬送される原稿またはコンタクトガラス等の原稿台上に静止する原稿に光を照射して、該原稿で反射された反射光をＣＣＤ（Charge Coupled Device ）等の光電変換素子で光電変換することで原稿の画像を読み取って、該読み取った原稿の画像データ（読取画像データ）をパターン検出部３に出力する。
【００２２】
パターン検出部（検査手段）３は、原稿読取部２から入力される読取画像データに予め登録されている不正印刷防止画像ＮＧ（図２参照）のパターンが含まれているか否か検出し、検出済の読取画像データを識別不能画像作成部４に出力する。この不正印刷防止画像（不正利用防止パターン）ＮＧは、人間の目では見えにくいドットパターンで埋め込まれ、通常のコピーによって浮かび上がる文字や画像（透かし印刷、ウォーターマークともいわれる。）であり、本実施例では、例えば、「コピー禁止」、「複製禁止」等のコピーや複製の禁止を表す画像や「機密情報」等の画像データが機密情報であることを表す画像等の種類の画像であって、文字情報だけでなく、バーコードやＱＲコード等のコード情報であってもよい。
【００２３】
識別不能画像作成部４は、パターン検出部３が読取画像データに不正印刷防止画像ＮＧが含まれていることを検出して、操作パネルで、「識別不能画像出力」が選択されると、または、予め設定されていると、パターン検出部３から入力される読取画像データを識別不能画像に生成して出力部７に出力する。この識別不能画像としては、例えば、入力画像データを乱数化して画像を崩す処理、入力画像を黒塗り画像にする処理、入力画像を真っ白の画像にする処理、入力画像全体に特定のパターンを付加する処理等を施して、入力画像の読み取りを不可能とした識別が不能の画像である。
【００２４】
代用画像取得部５には、代用画像登録部６が接続されており、代用画像登録部６には、予め複数の代用画像データが登録されているとともに、後述する代用画像登録処理で、任意の代用画像を複数登録することができる。この予め登録されている既登録代用画像は、例えば、「警告不正印刷」、「警告印刷禁止」、「警告複製禁止」等の読取画像が出力禁止されている画像であることを通知することのできる文字列を有する画像等である。
【００２５】
代用画像取得部５は、パターン検出部３が読取画像データに不正印刷防止画像ＮＧが含まれていることを検出して、操作パネルで、「代用画像出力」が選択されると、または、予め代用画像出力が設定されていると、操作パネルのディスプレイパネル２０に代用画像登録部６に登録されている代用画像のうち、出力する代用画像を選択させる代用画像選択画面を表示し、該代用画像選択画面で選択された代用画像の画像データ、または、予め選択されている代用画像の画像データを出力部７に出力する。
【００２６】
出力部７は、所定の画像形成方式、例えば、レーザを用いた電子写真方式で用紙に画像を出力する。出力部７は、電子写真方式の場合、該電子写真方式で画像を用紙に出力するのに必要な部品、例えば、感光体、光書込部、現像部、帯電部及びクリーニング部等を備えており、読取画像データ、識別不能画像作成部４からの識別不能画像データまたは代用画像取得部５からの代用画像データにより光書込部を動作させて感光体上に静電潜像を形成し、現像部によりトナーを感光体上に供給して現像してトナー画像を形成する。出力部７は、給紙部から用紙を感光体と転写部との間に給紙して、感光体上のトナー画像を用紙に転写させ、トナー画像の転写された用紙を定着部に搬送して、定着部で加熱・加圧して用紙上のトナー画像を定着させることで、画像を形成する。
【００２７】
次に、本実施例の作用を説明する。本実施例の複合装置１は、読取画像データに不正印刷防止画像ＮＧが含まれていると、予め設定されている処理動作（利用制限動作）を実行する。
【００２８】
すなわち、複合装置１は、図２に示したように、読取画像データに不正印刷を防止するための不正印刷防止画像ＮＧが含まれていると、不正印刷防止画像ＮＧの種類に応じて予め設定されている印刷停止、代用画像出力または識別不能画像出力のいずれかの処理動作を実行する。
【００２９】
まず、複合装置１のメイン動作について、図３に基づいて説明する。複合装置１は、図３に示すように、メイン動作処理として、初期設定処理１０１と印刷処理動作等の動作処理１０２を行う。
【００３０】
初期設定処理１０１は、複合装置１の各種初期設定を行う処理であるが、本実施例では、特に、不正印刷防止画像ＮＧを検出した際の処理動作の設定処理と代用画像登録処理を行う場合の処理について、図４に基づいて説明する。
【００３１】
複合装置１は、初期設定処理に移行すると、まず、図５に示すような初期設定項目を選択する初期設定選択画面Ｇ１をディスプレイパネル２０に表示し、初期設定項目として、不正印刷防止検出時の動作設定（不正印刷防止画像検出後動作の設定）が選択されたかチェックし（ステップＳ２０１）、他の初期設定項目（図５では、色調整、優先アプリ）が選択されたり、初期設定項目の選択がキャンセルされると、不正印刷防止画像検出後の動作の初期設定を行うことなく処理を終了する。
【００３２】
ステップＳ２０１で、初期設定項目として不正印刷防止画像検出後動作の設定が選択されると、複合装置１は、図６に示すような不正印刷防止動作設定選択画面Ｇ２をディスプレイパネル２０に表示し、設定内容として動作設定と代用画像入力のいずれが選択されたかチェックする（ステップＳ２０２）。
【００３３】
ステップＳ２０２で、不正印刷防止検出時の設定内容として動作設定が選択されると、複合装置１は、不正印刷防止検出後動作設定処理を行い（ステップＳ２０３）、引き続き不正印刷防止画像検出後動作の設定を行うかチェックする（ステップＳ２０４）。
【００３４】
ステップＳ２０４で、引き続き不正印刷防止画像検出後動作の設定を行う場合には、複合装置１は、図６に示した不正印刷防止動作設定選択画面Ｇ２をディスプレイパネル２０に表示して、ステップＳ２０２に戻って、設定内容として動作設定と代用画像入力のいずれが選択されたかチェックし（ステップＳ２０２）、ステップＳ２０２で、代用画像入力が選択されると、代用画像入力処理を行って（ステップＳ２０５）、引き続き不正印刷防止画像検出後動作の設定を行うかチェックする（ステップＳ２０４）。
【００３５】
ステップＳ２０４で、引き続き不正印刷防止画像検出後動作の設定を行う場合には、複合装置１は、ステップＳ２０２に戻って、上記同様の処理を行い（ステップＳ２０３、Ｓ２０４）、ステップＳ２０４で、ステップＳ２０４で、不正印刷防止画像検出後動作の設定を終了するときには、初期設定処理を終了する。
【００３６】
そして、複合装置１は、図４のステップＳ２０３の不正印刷防止検出後動作設定処理を、図７に示すように実行する。
【００３７】
すなわち、複合装置１は、不正印刷防止検出後動作設定処理に移行すると、まず、図８に示すような不正印刷防止検出後動作を不正印刷防止種類毎に設定するか否かの問い合わせを行う不正印刷防止種類毎設定問い合わせ画面Ｇ３を表示し、不正印刷防止種類毎の設定が選択されたかチェックする（ステップＳ３０１）。
【００３８】
すなわち、不正印刷防止を行う原稿には、上述のように、不正印刷防止画像ＮＧが埋め込まれており、この不正印刷防止画像ＮＧは、上述のように、例えば、「コピー禁止」、「複製禁止」等のコピーや複製の禁止を表す画像や「機密情報」等の画像データが機密情報であることを表す文字やコード等の画像等であり、これらの不正印刷防止画像ＮＧの種類に応じて不正印刷を防止するための動作内容を設定するか否か選択する。
【００３９】
ステップＳ３０１で、不正印刷防止種類毎の設定が選択されると、複合装置１は、図９に示すような動作内容を設定する不正印刷防止種類を選択する不正印刷防止種類選択画面Ｇ４をディスプレイパネル２０に表示し、いずれの不正印刷防止種類が選択されたかチェックする（ステップＳ３０２）。なお、本実施例では、不正印刷防止種類として、図９に示している「コピー禁止」、「複製禁止」及び「機密情報」の３種類が選択・設定可能であるとして説明する。
【００４０】
ステップＳ３０２で、不正印刷防止種類として、「コピー禁止」が選択されると、複合装置１は、不正印刷防止画像ＮＧとして「コピー禁止」を検出した場合の動作設定に移行し（ステップＳ３０３）、図１０に示すような不正印刷防止画像検出後の動作を選択する不正印刷防止画像検出後動作選択画面Ｇ５をディスプレイパネル２０に表示して、不正印刷防止画像検出後の動作が選択されたかチェックする（ステップＳ３０６）。この不正印刷防止画像検出後動作選択画面Ｇ５は、不正印刷防止画像検出後の動作として、「印刷停止」、「識別不能画像出力」及び「代用画像出力」のいずれかを選択する画面となっている。
【００４１】
また、ステップＳ３０２で、不正印刷防止種類として、「複製禁止」が選択されると、複合装置１は、不正印刷防止画像ＮＧとして「複製禁止」を検出した場合の動作設定に移行し（ステップＳ３０４）、図１０に示したような不正印刷防止画像検出後動作選択画面Ｇ５をディスプレイパネル２０に表示して、不正印刷防止画像検出後の動作が選択されたかチェックする（ステップＳ３０６）。
【００４２】
さらに、ステップＳ３０２で、不正印刷防止種類として、「機密情報」が選択されると、複合装置１は、不正印刷防止画像ＮＧとして「機密情報」を検出した場合の動作設定に移行し（ステップＳ３０５）、図１０に示すような不正印刷防止画像検出後動作選択画面Ｇ５をディスプレイパネル２０に表示して、不正印刷防止画像検出後の動作が選択されたかチェックする（ステップＳ３０６）。
【００４３】
そして、ステップＳ３０６で、不正印刷防止画像検出後の動作が選択されると、複合装置１は、該選択された動作、例えば、「印刷停止」が選択されると、該選択された印刷停止を、ステップＳ３０３からステップＳ３０５で設定した不正印刷防止種類の不正印刷防止画像検出後の動作として、または、不正印刷防止種類に無関係に不正印刷防止画像検出後の動作として設定して処理を終了し（ステップＳ３０７）、「識別不能画像出力」が選択されると、該選択された識別不能画像出力を、ステップＳ３０３からステップＳ３０５で設定した不正印刷防止種類の不正印刷防止画像検出後の動作として、または、不正印刷防止種類に無関係に不正印刷防止画像検出後の動作として設定して処理を終了する（ステップＳ３０８）。また、ステップＳ３０６で、「代用画像出力」が選択されると、該選択された代用画像出力を、ステップＳ３０３からステップＳ３０５で設定した不正印刷防止種類の不正印刷防止画像検出後の動作として、または、不正印刷防止種類に無関係に不正印刷防止画像検出後の動作として代用画像出力を設定し（ステップＳ３０９）、図１１に示すような代用画像選択画面Ｇ６をディスプレイパネル２０に表示して、該代用画像選択画面Ｇ６で出力する代用画像が選択されると、該選択された代用画像を出力する代用画像として設定して、処理を終了する（ステップＳ３１０）。
【００４４】
なお、上記説明では、不正印刷防止種類の選択と該不正印刷防止種類に対する不正印刷防止画像検出後の動作の設定を個別に行っているが、上記設定手順に限るものではなく、例えば、図１２に示すような不正印刷防止種類対応動作選択画面Ｇ７を表示して、全ての不正印刷防止種類と、各不正印刷防止種類に対して不正印刷防止画像検出後動作を選択して設定するようにしてもよい。
【００４５】
図７の不正印刷防止検出後動作設定処理が終了すると、複合装置１は、図４のステップＳ２０４に移行して、引き続き不正印刷防止画像検出後動作の設定を行うかチェックし（ステップＳ２０４）、引き続き不正印刷防止画像検出後動作の設定を行う場合には、上記同様に、図６に示した不正印刷防止動作設定選択画面Ｇ２をディスプレイパネル２０に表示して、ステップＳ２０２に戻って、設定内容として動作設定と代用画像入力のいずれが選択されたかチェックし（ステップＳ２０２）、ステップＳ２０２で、代用画像入力が選択されると、代用画像入力処理を実行する（ステップＳ２０５）。
【００４６】
そして、複合装置１は、図４のステップＳ２０５の代用画像入力処理を、図１３に示すように実行する。
【００４７】
すなわち、複合装置１は、図１４に示すような代用画像の入力を行うかどうかの問い合わせを行う代用画像入力問い合わせ画面Ｇ８をディスプレイパネル２０に表示して、「ＹＥＳ」が選択されると、図１３に示すように、代用画像入力処理モードに移行して、図１５に示すような代用画像の入力を促す代用画像入力画面Ｇ９をディスプレイパネル２０に表示し（ステップＳ４０１）、原稿読取部２に代用画像用の原稿がセットされて原稿読取部２により該代用画像用原稿の読み取りを行って代用画像の入力が行われると（ステップＳ４０２）、図１６に示すような代用画像の登録先の指定を行わせる代用画像登録先指定画面Ｇ１０をディスプレイパネル２０に表示する。なお、この代用画像用の原稿は、適宜作成された代用画像の原稿であってもよいし、予め用意されている雛形の代用画像の原稿であってもよい。また、図１６の代用画像登録先指定画面Ｇ１０では、Ａ〜Ｆの登録先を選択指定する画面となっているが、代用画像の登録先の指定は、このような指定方法に限るものではなく、例えば、パス名を直接指定する方法、登録可能先フォルダ一覧から選択指定する方法等であってもよい。
【００４８】
複合装置１は、代用画像登録先が指定されると、上記読み取った代用画像用原稿の画像（代用画像）を代用画像登録部６の該指定された登録先に登録し（ステップＳ４０３）、図１７に示すような代用画像の継続入力を行うか否かを問い合わせる代用画像継続入力問い合わせ画面Ｇ１１をディスプレイパネル２０に表示して、代用画像入力の継続が指示されたかチェックする（ステップＳ４０４）。
【００４９】
複合装置１は、ステップＳ４０４で、代用画像の継続入力が選択されると、ステップＳ４０１に戻って上記同様に代用画像の入力処理を行い（ステップＳ４０１〜４０４）、ステップＳ４０４で、代用画像の継続入力が選択されないときには、代用画像の入力処理を終了する。
【００５０】
上述のようにして、図３の初期設定処理が終了すると、複合装置１は、図３の動作処理（ステップＳ１０２）を行うが、この動作処理としてのコピー動作において、図１８に示すように、不正印刷防止コピー動作制御処理を行う。
【００５１】
すなわち、複合装置１は、図１８に示すように、原稿読取部２に読取対象の原稿がセットされ、操作パネルのコピースタートが指示操作されると（ステップＳ５０１）、原稿読取部２で読取対象の原稿の読み取りを行い（ステップＳ５０２）、読み取った原稿の画像に不正印刷防止画像ＮＧが含まれているかをパターン検出部３で検出する（ステップＳ５０３）。
【００５２】
ステップＳ５０３で、不正印刷防止画像ＮＧが検出されないときには、読み取った原稿の画像（入力画像）をＲＡＭ（Random Access Memory）等のメモリに一旦格納し（ステップＳ５０４）、該メモリに格納した画像を出力部７に渡して、出力部７で用紙に印刷出力して、コピー動作処理を終了する（ステップＳ５１１）。
【００５３】
ステップＳ５０３で、不正印刷防止画像ＮＧが検出されると、複合装置１は、図４の初期設定処理で不正印刷防止画像検出後動作の設定が行われているかチェックし（ステップＳ５０５）、不正印刷防止画像検出後動作の設定が行われていないときには、実行すべき不正印刷防止検出後動作が存在しないため、読み取った原稿の画像（入力画像）をＲＡＭ等のメモリに一旦格納し（ステップＳ５０４）、該メモリに格納した画像を出力部７に渡して、出力部７で用紙に印刷出力して、コピー動作処理を終了する（ステップＳ５１１）。
【００５４】
ステップＳ５０５で、不正印刷防止画像検出後動作の設定が行われていると、複合装置１は、該検出した不正印刷防止画像ＮＧの種類を検出し（ステップＳ５０７）、検出した不正印刷防止画像ＮＧの種類に対して上記図７の不正印刷防止検出後動作設定処理で設定されている該検出した不正印刷防止画像ＮＧの種類に応じた不正印刷防止検出後動作設定の選択を行って（ステップＳ５０７）、設定動作が「識別不能画像出力」、「代用画像出力」、「印刷停止」のいずれであるかチェックする（ステップＳ５０８）。
【００５５】
なお、初期設定処理で不正印刷防止後の設定は行われているが、不正印刷防止画像ＮＧの種類に応じた不正印刷防止検出後動作の選択設定が行われていないときには、複合装置１は、図１９に示すような不正印刷防止画像検出後動作選択画面Ｇ１２を表示して、不正印刷防止検出後の動作の選択を行わせる。この不正印刷防止画像検出後動作選択画面Ｇ１２は、不正印刷防止画像検出後の動作として、「印刷停止」、「識別不能画像出力」及び「代用画像出力」のいずれかを選択する画面となっている。
【００５６】
そして、複合装置１は、ステップＳ５０８で、不正印刷防止画像検出後動作として、「識別不能画像出力」が選択されていると、識別不能画像作成部４で、例えば、入力画像データを乱数化して画像を崩す処理、入力画像を黒塗り画像にする処理、入力画像を真っ白の画像にする処理、入力画像全体に特定のパターンを付加する処理等を施して、入力画像の読み取りを不可能とした識別不能画像を準備し（ステップＳ５０９）、該準備した識別不能画像をＲＡＭ等のメモリに格納する（ステップＳ５１０）。複合装置１は、該メモリに格納した識別不能画像を出力部７に渡して、図２０に示すように、出力部７で用紙に識別不能画像を印刷出力して、コピー動作処理を終了する（ステップＳ５１１）。なお、図２０では、識別不能画像として、白紙を出力している場合を示している。
【００５７】
複合装置１は、ステップＳ５０８で、不正印刷防止画像検出後動作として、「代用画像出力」が選択されていると、代用画像取得部５が、初期設定処理で予め設定されている代用画像を代用画像登録部６から取得して準備し（ステップＳ５１２）、該準備した代用画像をＲＡＭ等のメモリに格納する（ステップＳ５１０）。複合装置１は、該メモリに格納した代用画像を出力部７に渡して、出力部７で用紙に代用画像を印刷出力して、コピー動作処理を終了する（ステップＳ５１１）。
【００５８】
この場合、予め代用画像が設定されていないときには、複合装置１は、図２１に示すような代用画像選択画面Ｇ１３または図２２に示すような代用画像選択画像選択画面Ｇ１４をディスプレイパネル２０に表示して、代用画像を選択させて、選択された代用画像を代用画像登録部６から取得して準備する。なお、図２１は、既登録の３つの代用画像から出力する代用画像を選択する画面となっており、図２２は、既登録及び追加登録の９つの代用画像から出力する代用画像を選択する画面となっている。
【００５９】
そして、複合装置１は、ステップＳ５０８で、不正印刷防止画像検出後動作として、「印刷停止」が選択されていると、図２３に示すように、ディスプレイパネル２０に、警告画面を表示して、印刷を行うことなく、処理を終了する（ステップＳ５１４）。この警告画面では、印刷を行わない旨及びその理由を表示する。また、警告は、表示によるものに限るものではなく、音声出力等によってもよいし、複数の種類で警告を行ってもよい。
【００６０】
このように、本実施例の複合装置１は、処理対象画像である読取画像に該画像の利用を制限する不正利用防止パターンである不正印刷防止画像ＮＧが含まれていることをパターン検出部３が検出すると、予め登録されている該読取画像に対する複数種類の利用制限動作である不正印刷防止検出後動作のうちの１つを適宜選択して実行している。
【００６１】
したがって、機密画像を適切に検出して、多様な不正印刷防止検出後動作の１つを適宜選択して実行することができ、機密画像の漏洩を適切かつ確実に防止することができる。
【００６２】
また、本実施例の複合装置１は、パターン検出部３が読取画像に不正印刷防止画像ＮＧが含まれていることを検出すると、予め登録されている複数の不正印刷防止検出後動作から実行する利用制限動作を選択する不正印刷防止画像検出後動作選択画面Ｇ１２をディスプレイパネル２０に表示し、該不正印刷防止画像検出後動作選択画面Ｇ１２で選択された不正印刷防止検出後動作を実行している。
【００６３】
したがって、複合装置１の利用者にコピー対象の原稿が機密原稿であることを適切に認識させることができ、より一層適切かつ確実に機密の漏洩を防止することができる。
【００６４】
さらに、本実施例の複合装置１は、不正印刷防止検出後動作として、少なくとも、読取画像全体に特定パターンを付加して出力するパターン付加処理動作である識別不能画像処理動作、読取画像に変えて予め登録されている代用画像を出力する代用画像出力動作、読取画像の出力を禁止する出力禁止動作である印刷停止動作が登録されている。
【００６５】
したがって、図２に示したように、不正印刷防止画像ＮＧの含まれている原稿を読み取ったときに、識別不能画像の出力、代用画像の出力、または、印刷出力をしない（印刷禁止）のいずれかを行うことができ、機密画像の出力に対してより適切な警告を与えて、機密画像の出力を適切に防止し、機密の漏洩をより一層適切に防止することができる。
【００６６】
特に、不正印刷防止画像ＮＧが「コピー禁止」の場合に、その不正印刷防止画像検出後の動作として、代用画像を印刷する場合、例えば、図２４に示すように、コピー禁止代用画像選択画面Ｇ１５をディスプレイパネル２０に表示して、「コピー禁止」の不正印刷防止画像ＮＧに対する代用画像を、「警告不正印刷」、「警告印刷禁止」、「警告複製禁止」等の画像から適宜選択可能とし、該選択された代用画像を印刷出力するようにしてもよい。
【００６７】
このようにすると、原稿がコピー不可の原稿であることを明確にして、不正コピーをより一層適切に防止することができる。
【００６８】
また、上記説明では、不正印刷防止画像検出後の動作は、初期設定で予め設定されている動作を不正印刷防止画像ＮＧに応じて自動選択して処理しているが、不正印刷防止画像検出後の動作の選択を、図１９に示したように、不正印刷防止画像検出後動作選択画面Ｇ１２を表示して選択できるようにし、該不正印刷防止画像検出後動作選択画面Ｇ１２で選択された不正印刷防止画像検出後の動作を実行している。
【００６９】
このようにすると、原稿画像に不正印刷防止画像ＮＧが含まれていて動作が制限されることを適切に通知することができ、より一層適切に不正印刷を防止することができる。
【００７０】
また、本実施例の複合装置１は、不正印刷防止画像検出後動作として、読取画像に替えて代用画像を印刷出力するようにしている。
【００７１】
したがって、原稿画像に不正印刷防止画像ＮＧが含まれていて動作が制限されることを適切に通知することができ、より一層適切に不正印刷を防止することができる。
【００７２】
さらに、本実施例の複合装置１は、代用画像を予め複数登録して、適宜選択した代用画像を印刷出力している。
【００７３】
したがって、原稿画像に不正印刷防止画像ＮＧが含まれていて動作が制限されることを適切に通知することができ、より一層適切に不正印刷を防止することができる。
【００７４】
また、本実施例の複合装置１は、不正印刷防止画像ＮＧの種類に応じて、複数登録されている代用画像のうちの１つを選択して印刷出力している。
【００７５】
したがって、原稿画像の機密種類に応じて、動作が制限されることをより一層適切に通知することができ、より一層適切に不正印刷を防止することができる。
【００７６】
さらに、本実施例の複合装置１は、任意の代用画像を追加登録して、代用画像として利用している。
【００７７】
したがって、複合装置１の利用形態や機密画像の態様に応じて適切な代用画像を用いることができ、原稿画像の機密種類に応じて、動作が制限されることをより一層適切に通知して、より一層適切に機密画像の不正印刷を防止することができる
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７８】
本発明は、機密画像の印刷出力等の利用を用紙の無駄を省きつつ効果的に防止するスキャナ装置、複写装置、複合装置等の画像処理装置に利用することができる。
【図面の簡単な説明】
【００７９】
【図１】本発明の一実施例を適用した複合装置の要部ブロック構成図。
【図２】図１の複合装置の正面概略構成図。
【図３】図１の複合装置によるメイン動作処理を示すフローチャート。
【図４】図３の初期設定処理を示すフローチャート。
【図５】図４の初期設定処理でディスプレイパネルに表示される初期設定選択画面の一例を示す図。
【図６】図４の初期設定処理でディスプレイパネルに表示される不正印刷防止動作設定選択画面の一例を示す図。
【図７】図４の不正印刷防止検出後動作設定処理を示すフローチャート。
【図８】図７の不正印刷防止検出後動作設定処理でディスプレイパネルに表示される不正印刷防止種類毎設定問い合わせ画面の一例を示す図。
【図９】図７の不正印刷防止検出後動作設定処理でディスプレイパネルに表示される不正印刷防止種類選択画面の一例を示す図。
【図１０】図７の不正印刷防止検出後動作設定処理でディスプレイパネルに表示される不正印刷防止画像検出後動作選択画面の一例を示す図。
【図１１】図７の不正印刷防止検出後動作設定処理でディスプレイパネルに表示される代用画像選択画面の一例を示す図。
【図１２】図７の不正印刷防止検出後動作設定処理の他の例の設定動作としてディスプレイパネルに表示される不正印刷防止種類対応動作選択画面の一例を示す図。
【図１３】図４の代用画像入力処理を示すフローチャート。
【図１４】図１３の代用画像入力処理でディスプレイパネルに表示される代用画像入力問い合わせ画面の一例を示す図。
【図１５】図１３の代用画像入力処理でディスプレイパネルに表示される代用画像入力画面の一例を示す図。
【図１６】図１３の代用画像入力処理でディスプレイパネルに表示される代用画像登録先指定画面の一例を示す図。
【図１７】図１３の代用画像入力処理でディスプレイパネルに表示される代用画像継続入力問い合わせ画面の一例を示す図。
【図１８】図３の動作処理を示すフローチャート。
【図１９】図１８の動作処理でディスプレイパネルに表示される不正印刷防止画像検出後動作選択画面の一例を示す図。
【図２０】図１８の動作処理で識別不能画像を出力する場合の説明図。
【図２１】図１８の動作処理でディスプレイパネルに表示される代用画像選択画面の一例を示す図。
【図２２】図１８の動作処理でディスプレイパネルに表示される代用画像選択画面の他の例を示す図。
【図２３】図１８の動作処理で印刷停止を行う場合の説明図。
【図２４】図１の複合装置によるコピー禁止の場合のコピー禁止代用画像選択画面の一例を示す図。
【図２５】従来の透かし印刷によるコピー防止技術の説明図。
【符号の説明】
【００８０】
１  複合装置
２  原稿読取部
３  パターン検出部
４  識別不能画像作成部
５  代用画像取得部
６  代用画像登録部
７  出力部
１０  本体筐体
１１  給紙部
１２  ＡＤＦ
２０  ディスプレイパネル
Ｇ１  初期設定選択画面
Ｇ２  不正印刷防止動作設定選択画面
Ｇ３  不正印刷防止種類毎設定問い合わせ画面
Ｇ４  不正印刷防止種類選択画面
Ｇ５  不正印刷防止画像検出後動作選択画面
Ｇ６  代用画像選択画面
Ｇ７  不正印刷防止種類対応動作選択画面
Ｇ８  代用画像入力問い合わせ画面
Ｇ９  代用画像入力画面
Ｇ１０  代用画像登録先指定画面
Ｇ１１  代用画像継続入力問い合わせ画面
Ｇ１２  不正印刷防止画像検出後動作選択画面
Ｇ１３  代用画像選択画面
Ｇ１４  代用画像選択画面
Ｇ１５  コピー禁止代用画像選択画面
【図１】
2008288995.tif 000003
【図２】
2008288995.tif 000004
【図３】
2008288995.tif 000005
【図４】
2008288995.tif 000006
【図５】
2008288995.tif 000007
【図６】
2008288995.tif 000008
【図７】
2008288995.tif 000009
【図８】
2008288995.tif 000010
【図９】
2008288995.tif 000011
【図１０】
2008288995.tif 000012
【図１１】
2008288995.tif 000013
【図１２】
2008288995.tif 000014
【図１３】
2008288995.tif 000015
【図１４】
2008288995.tif 000016
【図１５】
2008288995.tif 000017
【図１６】
2008288995.tif 000018
【図１７】
2008288995.tif 000019
【図１８】
2008288995.tif 000020
【図１９】
2008288995.tif 000021
【図２０】
2008288995.tif 000022
【図２１】
2008288995.tif 000023
【図２２】
2008288995.tif 000024
【図２３】
2008288995.tif 000025
【図２４】
2008288995.tif 000026
【図２５】
2008288995.tif 000027